(57)【要約】【課題】レンズ鏡筒とプリント配線基板との接続強度を従来より更に高める。【解決手段】レンズ鏡筒１１と、レンズ鏡筒１１が取り付けられるプリント配線基板７１とを備える。プリント配線基板７１は、フォーカス駆動部に電源を供給する端子部３７ｄ、３８ｄが電気的に接続される電源用ランド７５を有し、電源用ランド７５は、主接続部７５ａと副接続部７６とに区画され、主接続部７５ａと副接続部７５ｂとの間が絶縁部７５ｃとなっている。副接続部７５ｂは、プリント配線基板７１上において主接続部７５ａに比して外側に設けられている。端子片３７ｄ、３８ｄと電源用ランド７５とは、導電性接着剤７６によって固定される。【選択図】図１１
2011039461.tif 000002
【特許請求の範囲】
【請求項１】
レンズをフォーカス駆動部によって光軸方向に移動可能に保持するレンズ鏡筒と、
上記レンズ鏡筒が取り付けられるプリント配線基板とを備え、
上記プリント配線基板は、上記フォーカス駆動部に電源を供給する端子部が電気的に接続されるランドを有し、
上記ランドは、導電層が露出する主接続部と副接続部とに区画され、該主接続部と該副接続部との間が絶縁部となっており、
上記副接続部は、上記プリント配線基板上において上記主接続部に比して外側に設けられ、上記主接続部は、上記プリント配線基板上において上記副接続部に比して内側に設けられ、
上記端子部と上記ランドとは、導電性接着剤によって固定されるカメラモジュール。
【請求項２】
更に、上記プリント配線基板には、撮像素子が実装され、
上記撮像素子は、セラミックの枠体を有し、
上記枠体が上記主接続部の少なくとも一部を覆うように配置される請求項１記載のカメラモジュール。
【請求項３】
上記端子部は、上記レンズ鏡筒の側壁に沿い、上記枠体に近接するように延出している請求項２記載のカメラモジュール。
【請求項４】
上記ランドの中央部は、上記主接続部と上記副接続部との間の絶縁部となっている請求項１記載のカメラモジュール。
【請求項５】
電子部品と、
上記電子部品が電気的に接続されるプリント配線基板とを備え、
上記プリント配線基板は、上記電子部品の端子部が電気的に接続されるランドを有し、
上記ランドは、導電層が露出する主接続部と副接続部とに区画され、該主接続部と該副接続部との間が絶縁部となっており、
上記副接続部は、上記プリント配線基板上において上記主接続部に比して外側に設けられ、上記主接続部は、上記プリント配線基板上において上記副接続部に比して内側に設けられ、
上記電子部品の端子部と上記ランドとは、導電性接着剤によって固定される電子部品の接続構造。
【請求項６】
上記電子部品は、該電子部品の一部が上記主接続部の少なくとも一部を覆うように配置される請求項５記載の電子部品の接続構造。
【請求項７】
上記ランドの中央部は、上記主接続部と上記副接続部との間の絶縁部となっている請求項６記載の電子部品の接続構造。
【発明の詳細な説明】
【技術分野】
【０００１】
本発明は、電子部品とプリント配線基板との電気的接続を行う電子部品の接続構造に関する。また、電子部品であるレンズのフォーカス駆動部を有するレンズ鏡筒とプリント配線基板との電気的接続を行うカメラモジュールに関する。
【背景技術】
【０００２】
電子部品をプリント配線基板に実装する際には、半田に代わって導電性接着剤を用いることがある。この場合、プリント配線基板のランドには、導電性接着剤が転写され、所定の荷重及び時間条件で、電子部品がマウントされることになる。
【０００３】
このような電子部品とプリント配線基板の接続構造にあっては、特許文献１にあるように、ヒートサイクル試験を繰り返すと、クラック等が発生し、接合強度が劣化することが知られている。導電性接着剤は、セラミックやプリント配線基板の表面のエポキシ樹脂等の有機樹脂材料との間では、接合強度が高いが、銅箔等の導電層との間では接合強度が低いためである。
【０００４】
したがって、外力が加わったときには、電子部品とプリント配線基板の接続構造が亀裂が生じたり、破損してしまい、導通しなくなるおそれがある。
【０００５】
ところで、携帯電話等の小型の電子機器には、特許文献２に示すように、カメラモジュールが搭載されることがある。この種の電子機器は、小型であるため、落下等された際に、大きな衝撃が加わることがある。このため、カメラモジュールを構成するレンズ鏡筒とプリント配線基板との電気的な接合強度を高める必要がある。
【０００６】
例えば、レンズ鏡筒は、レンズを光軸方向に移動するフォーカス駆動部を備えている。このフォーカス駆動部は、一般にボイスコイルモータが採用されており、駆動コイルに対して電源を供給する必要がある。この電源は、一般に、撮像素子が実装されるプリント配線基板と電気的に接続されることによって、駆動コイルに供給される。落下等された際に、大きな衝撃が加わることに鑑みれば、小型の電子機器に取り付けられるカメラモジュールにあっても、フォーカス駆動部側の端子部とプリント配線基板のランドとの接続強度を高める必要がある。したがって、フォーカス駆動部側の端子部とプリント配線基板のランドとの接続構造は、例えば、特許文献１に記載された電子部品とプリント配線基板の接続構造より更に接続強度を高めることが好ましい。
【先行技術文献】
【特許文献】
【０００７】
【特許文献１】特開平１１−３５４９１２号公報
【特許文献２】特開２００７−１０８５９５号公報
【発明の概要】
【発明が解決しようとする課題】
【０００８】
そこで、本発明は、以上のような課題を解決すべく、レンズ鏡筒のフォーカス駆動部とプリント配線基板との接続構造において、更に、接続強度を高めることができるカメラモジュールを提供することを目的とする。
【０００９】
また、本発明は、電子部品とプリント配線基板との接続強度を従来より更に高めることができる電子部品の接続構造を提供することを目的とする。
【課題を解決するための手段】
【００１０】
本発明に係るカメラモジュールは、レンズをフォーカス駆動部によって光軸方向に移動可能に保持するレンズ鏡筒と、上記レンズ鏡筒が取り付けられるプリント配線基板とを備える。
【００１１】
上記プリント配線基板は、上記フォーカス駆動部に電源を供給する端子部が電気的に接続されるランドを有する。上記ランドは、導電層が露出する主接続部と副接続部とに区画され、該主接続部と該副接続部との間が絶縁部となっている。
【００１２】
上記副接続部は、上記プリント配線基板上において上記主接続部に比して外側に設けられ、上記主接続部は、上記プリント配線基板上において上記副接続部に比して内側に設けられている。そして、上記端子部と上記ランドとは、導電性接着剤によって固定される
また、本発明に係る電子部品の接続構造は、電子部品と、上記電子部品が電気的に接続されるプリント配線基板とを備える。
【００１３】
上記プリント配線基板は、上記電子部品の端子部が電気的に接続されるランドを有する。上記ランドは、導電層が露出する主接続部と副接続部とに区画され、該主接続部と該副接続部との間が絶縁部となっている。
【００１４】
上記副接続部は、上記プリント配線基板上において上記主接続部に比して外側に設けられ、上記主接続部は、上記プリント配線基板上において上記副接続部に比して内側に設けられている。そして、上記電子部品の端子部と上記ランドとは、導電性接着剤によって固定される。
【００１５】
本発明に係る電子部品の接続構造は、電子部品と、上記電子部品が電気的に接続されるプリント配線基板とを備え、上記プリント配線基板は、上記電子部品の端子部が電気的に接続されるランドを有し、上記ランドは、導電層が露出する主接続部と副接続部とに区画され、該主接続部と該副接続部との間が絶縁部となっており、上記副接続部は、上記プリント配線基板上において上記主接続部に比して外側に設けられ、上記主接続部は、上記プリント配線基板上において上記副接続部に比して内側に設けられ、上記電子部品の端子部と上記ランドとは、導電性接着剤によって固定される。
【発明の効果】
【００１６】
本発明に係るカメラモジュールは、電源用ランドが、主接続部と副接続部とを有し、間に絶縁部を設け、導電性接着剤で接着するようにしているので、接続強度を高めることができる。したがって、このような外力が加わったときにも、電源用ランドと端子部との接続箇所に亀裂等が発生することを防止することができる。また、仮に亀裂が生じたとしても、端子部と主接続部、副接続部の何れかとの電気的接続を維持することができる。
【図面の簡単な説明】
【００１７】
【図１】携帯電話の斜視図である。
【図２】カメラモジュールの斜視図である。
【図３】カバー部材とマグネットと前鏡筒の斜視図である。
【図４】図３の続きで、駆動コイルとフレキシブル配線基板と板バネの斜視図である。
【図５】図４の続きで、レンズ保持部材と後部鏡筒と撮像素子が実装されたプリント配線基板の斜視図である。
【図６】レンズ保持部材の断面図である。
【図７】駆動コイルにフレキシブル配線基板が接着された状態を示す斜視図である。
【図８】駆動コイルとフレキシブル配線基板とでなる第１の組立体に板バネである第１及び第２のバネが組み合わされた第２の組立体の斜視図である。
【図９】第２の組立体にレンズ保持部材を取り付けた第３の組立体の斜視図である。
【図１０】図２のＩ−Ｉ断面図である。
【図１１】レンズ鏡筒の端子片とプリント配線基板との接続構造を示す要部斜視図である。
【図１２】レンズ鏡筒の端子片がプリント配線基板の電源用ランドに導電性接着剤で接続された状態を示す要部斜視図である。
【図１３】（Ａ）−（Ｉ）は、電源用ランドの変形例を示す図である。
【発明を実施するための形態】
【００１８】
以下、本発明が適用された携帯電話に搭載されるカメラモジュールについて、図面を参照し、以下の順で説明する。
【００１９】
１．携帯電話の説明
２．カメラモジュールの説明
３．レンズ鏡筒の説明
３−１  レンズ保持部材の説明
３−２  駆動コイルの説明
３−３  フレキシブル配線基板の説明
３−４  板バネの説明
３−５  後部鏡筒の説明
３−６  前鏡筒の説明
３−７  カバー部材の説明
４．撮像素子部の説明
５．カメラモジュールの組立
６．カメラモジュールの動作
７．カメラモジュールの効果
８．変形例
（１．携帯電話の説明）
図１に示すように、本発明のカメラモジュールが搭載される携帯電話１は、第１の筐体２と第２の筐体３とがヒンジ部４を介して折り畳み自在に結合されている。第１の筐体２には、スピーカ５、表示部６及びアンテナ７が設けられている。アンテナ７は、伸縮自在となっている。第２の筐体３には、押しボタンや回転式ダイヤルを含む各種の操作部８、８、・・・及びマイクロフォン９が設けられている。ヒンジ部４には、カメラモジュール１０が組み込まれている。操作部８、８、・・・のうち所定の押しボタンは画像を撮影するための操作部８として機能し、この操作部８を押圧操作することによりカメラモジュール１０が動作されて画像の撮影を行うことができる。すなわち、この携帯電話１は、撮像装置としても機能する電子機器である。
【００２０】
なお、カメラモジュール１０が設けられる位置は、ヒンジ部４の他に、第１の筐体２や第２の筐体３に設けるようにしても良い。また、１つの携帯電話１には、カメラモジュール１０を複数搭載するようにしても良い。
【００２１】
（２．カメラモジュールの説明）
図２乃至図５に示すように、カメラモジュール１０は、レンズ鏡筒１１と、撮像素子部１２とで構成されている。レンズ鏡筒１１は、複数のレンズを保持しており、複数のレンズを光軸方向に移動するオートフォーカス機能を有している。撮像素子部１２は、プリント配線基板に撮像素子を実装してなる。撮像素子部１２は、レンズ鏡筒１１のレンズの光軸と撮像素子７２との位置合わせをして、プリント配線基板７１にレンズ鏡筒１１が取り付けられる。レンズ鏡筒１１へのオートフォーカス機能を実現するための電源供給は、このプリント配線基板７１から行われる。
【００２２】
なお、図５に示すように、撮像素子部１２の撮像素子７２は、携帯電話１を撮像装置として機能させるための制御部１３ａと接続されている。また、この制御部１３ａは、外部記録媒体となるメモリカード１３ｃ等に画像データや動画データや音声データ等を記録する記録部１３ｂと接続されている。この制御部１３ａは、例えば、撮像素子７２から入力された撮像信号を、アナログ信号からディジタル信号に変換し、ＪＰＥＧ形式等の所定の圧縮形式でデータを圧縮する。そして、制御部１３ａは、圧縮された画像データ等を、記録部１３ｂでメモリカード１３ｃに記録する。外部記録媒体としては、メモリカード１３ｃの他、ディスクカートリッジ、光ディスク、ネットワークを介して接続されたコンピュータ等の情報処理装置であっても良い。また、制御部１３ａは、撮像素子７２の出力からフォーカス制御用信号を生成し、駆動コイル２６に所定の駆動電流を供給する。すなわち、制御部１３ａは、メモリカード１３ｃへ記録するための信号処理部として機能すると共に、カメラ制御部としても機能する。
【００２３】
（３．レンズ鏡筒の説明）
図２乃至図５に示すように、レンズ鏡筒１１は、複数のレンズを保持するレンズ保持部材２１と、このレンズ保持部材２１を光軸方向に移動可能に支持する後部鏡筒４１及び前鏡筒５１とを備えている。
【００２４】
（３−１  レンズ保持部材の説明）
図５及び図６に示すように、レンズ保持部材２１は、第１乃至第３のレンズ２０ａ、２０ｂ、２０ｃを保持する第１の筒状部２２と、第４のレンズ２０ｄを保持する第２の筒状部２３とを備えている。レンズ保持部材２１は、例えば、樹脂成形によって、第１の筒状部２２と第２の筒状部２３とが一体に形成されている。
【００２５】
本発明が用いられるカメラモジュール１０では、従来のカメラモジュールより高画質の画像や動画を撮像するため、従来より高画素の撮像素子が用いられており、これにあせて、第４のレンズ２０ｄが追加されている。この第４のレンズ２０ｄは、第１のレンズ２０ａ、第２のレンズ２０ｂ、第３のレンズ２０ｃより大径となっている。
【００２６】
第１の筒状部２２は、断面が略円形で、入射側から、第１のレンズ２０ａ、第２のレンズ２０ｂ、第３のレンズ２０ｃを光軸を一致させて保持している。そして、入射側の第１のレンズ２０ａは、レンズ開口部２２ａより外部に臨まされている。また、第２の筒状部２３は、第１の筒状部２２より大径で断面が略円形であって、第４のレンズ２０ｄを、第１乃至第３のレンズ２０ａ、２０ｂ、２０ｃと光軸を一致させて保持している。
【００２７】
第２の筒状部２３は、第１の筒状部２２より大径であるから、第１の筒状部２２より外周部が張り出し、その上面が、駆動コイル２６や板バネ３６を受ける受け部２４となっている。
【００２８】
（３−２  駆動コイルの説明）
駆動コイル２６は、図４に示すように、導線を略矩形に巻回した空芯コイルであって、レンズ保持部材２１の第１の筒状部２２に挿入可能で、受け部２４に支持可能な大きさに形成されている。すなわち、駆動コイル２６の一辺は、レンズ２０ｄの最大外径、ここでは第４のレンズ２０ｄの外径より小さく、対角線は、レンズ２０ｄの最大外径より長くなっている。駆動コイル２６は、第１の筒状部２２の周囲に配設され、少なくとも一部が第２の筒状部２３の外周よりも内側に位置する。また、駆動コイル２６の少なくとも一部、例えば辺の部分の一部は、第２の筒状部２３が保持する出射側のレンズ２０ｄの外周よりも内側に位置する。
【００２９】
この駆動コイル２６は、プラス側の端部２６ａが一のコーナ部の上側又は中程から引き出されている。また、マイナス側の端部２６ｂは、プラス側の端部２６ａが引き出される一のコーナ部と対角にあるコーナ部の上側又は中程から引き出されている。プラス側の端部２６ａ及びマイナス側の端部２６ｂは、駆動コイル２６の各コーナ部内側の上側又は中程から下側（レンズ保持部材２１の出射側）に引き出されており、駆動コイル２６の全体の小型化を図っている。また、略矩形をなす駆動コイル２６は、断面が略円形のレンズ保持部材２１の第１の筒状部２２の外周部に取り付けられる。したがって、プラス側の端部２６ａ及びマイナス側の端部２６ｂは、第１の筒状部２２との間に形成される空隙部３０に通される。
【００３０】
なお、プラス側の端部２６ａ及びマイナス側の端部２６ｂは、線材で細いものであるから、各コーナ部外側の上側又は中程から下側に引き出すようにしても良い。また、プラス側の端部２６ａ及びマイナス側の端部２６ｂは、各コーナ部の下側の内側又は外側から引き出すようにしても良い。
【００３１】
以上のような駆動コイル２６は、下側に配設されるフレキシブル配線基板２７に電気的に接続される。
【００３２】
（３−３  フレキシブル配線基板の説明）
図４及び図６に示すように、フレキシブル配線基板２７は、駆動コイル２６の下面と略同じ大きさに形成され、外形が駆動コイル２６に対応した略矩形の各コーナ部を面取りした略八角形の形状をなしている。また、フレキシブル配線基板２７は、レンズ保持部材２１の第１の筒状部２２に挿入可能なように、環状をなし、内径形状も略八角形の形状をなしている。
【００３３】
フレキシブル配線基板２７は、一方の面２７ａに配線パターンが形成され、他方の面２７ｂは、ポリイミド等の絶縁層となっている。このフレキシブル配線基板２７は、駆動コイル２６との電気的な絶縁を図るため、絶縁層となっている他方の面２７ｂを駆動コイル２６側にして、接着剤等で駆動コイル２６の下側の面に固定される。
【００３４】
一方の面２７ａに形成される配線パターンは、駆動コイル２６のプラス側の端部２６ａと電気的に接続されるプラス側パターンと駆動コイル２６のマイナス側の端部２６ｂと電気的に接続されるマイナス側パターンとが区分けして形成されている。プラス側パターンは、駆動コイル２６の内側より引き出されたプラス側の端部２６ａが半田や導電性接着剤等で電気的に接続される。マイナス側パターンは、駆動コイル２６の内側より引き出されたマイナス側の端部２６ｂが半田や導電性接着剤等で電気的に接続される。
【００３５】
また、フレキシブル配線基板２７には、一方の面２７ａで、レンズ保持部材２１の受け部２４上でフレキシブル配線基板２７と重なる板バネ３６と電気的に接続される。
【００３６】
なお、駆動コイル２６とフレキシブル配線基板２７との形状は、上述した矩形に限定されるものではなく、三角形、四角形、五角形、六角形といった多角形であってもよい。
【００３７】
このレンズ鏡筒１１では、従来のレンズ鏡筒と比較して、駆動コイル２６と板バネ３６との電気的接続に、樹脂製のコイルホルダを用いていない。レンズ鏡筒１１では、コイルホルダに代わって、コイルホルダより薄いフレキシブル配線基板２７を用いるので、全体としての低背化を図ることができる。
【００３８】
（３−４  板バネの説明）
図４に示すように、板バネ３６は、前鏡筒に取り付けられる板バネ５５と対をなすバネであり、弾力性と導電性を有する金属材料、ベリリウム銅等によって形成されている。この板バネ３６は、第１のバネ３７と第２のバネ３８とでなり、電気的に分離するように、２分割されている。第１の板バネ３７は、フレキシブル配線基板２７の一方の面２７ａのプラス側パターンと電気的に接続される。第２のバネ３８は、フレキシブル配線基板２７の一方の面２７ａのマイナス側パターンと電気的に接続される。
【００３９】
第１のバネ３７と第２のバネ３８は、それぞれ、駆動コイル２６が取り付けられたレンズ保持部材２１を弾性支持する弾性支持部３７ａ、３８ａを有する。また、弾性支持部３７ａ、３８ａには、一体的に、後部鏡筒４１に対して位置決めするための位置決め片３７ｂ、３８ｂが形成されている。位置決め片３７ｂ、３８ｂには、位置決め孔３７ｃ、３８ｃが形成されている。また、弾性支持部３７ａ、３８ａには、一方の位置決め片３７ｂ、３８ｂと連続するように、駆動コイル２６への電源を供給するための端子片３７ｄ、３８ｄが一体的に形成されている。
【００４０】
（３−５  後部鏡筒の説明）
後部鏡筒４１は、図５に示すように、略矩形の底面部４２に対して４つ側壁４２ａ、４２ｂ、４２ｃ、４２ｄが形成されている。底面部４２の中央部には、撮像素子７２が臨まされる略矩形の開口部４５が形成されている。また、底面部４２の各コーナ部には、支持部４３ａ、４３ｂ、４３ｃ、４３ｄが形成されている。また、底面部４２には、支持部４３ａ、４３ｂ、４３ｃ、４３ｄの近傍に、レンズ保持部材２１のベース２１ａを支持する支持突起４９が形成されている。
【００４１】
各支持部４３ａ、４３ｂ、４３ｃ、４３ｄの頂面には、第１及び第２のバネ３７，３８の位置決め片３７ｂ、３８ｂに形成された位置決め孔３７ｃ、３８ｃに係合される位置決め突起４４ａ、４４ｂ、４４ｃ、４４ｄが形成されている。支持部４３ａ、４３ｃは、位置決め突起４４ａ、４４ｃに、第１のバネ３７の位置決め孔３７ｃを係合させることによって、第１のバネ３７を支持する。また、支持部４３ｂ、４３ｄは、位置決め突起４４ｂ、４４ｄに、第２のバネ３８の位置決め孔３８ｃを係合させることによって、第２のバネ３８を支持する。
【００４２】
また、側壁４２ａ、４２ｂには、前鏡筒５１の上から全体を覆うように取り付けられるカバー部材６１の側板が係合する位置決め凹部４６ａ、４６ｂが形成されている。また、側壁４２ｃ、４２ｄには、カバー部材６１の他の側板が係合する係合突起４７ａ、４７ｂが形成されている。
【００４３】
（３−６  前鏡筒の説明）
図３に示すように、前鏡筒５１は、後部鏡筒４１と対をなし、内部にレンズ保持部材２１等が配設される。前鏡筒５１は、後部鏡筒４１の底面部４２と略同じ矩形の枠体５２を有する。枠体５２の各コーナ部には、後部鏡筒４１の支持部４３ａ、４３ｂ、４３ｃ、４３ｄと対向する支持部５３ａ、５３ｂ、５３ｃ、５３ｄが形成されている。各支持部５３ａ、５３ｂ、５３ｃ、５３ｄの底面には、支持突起４４ａ、４４ｂ、４４ｃ、４４ｄが係合する位置決め凹部５４ａ、５４ｂ、５４ｃ、５４ｄが形成されている。
【００４４】
また、前鏡筒５１には、上述した第１のバネ３７と第２のバネ３８を備える板バネ３６と対をなす板バネ５５が取り付けられる。具体的に、板バネ５５は、支持部５３ａ、５３ｂ、５３ｃ、５３ｄにインサート成形により取り付けられる。この板バネ５５は、弾力性に富む金属材料、ベリリウム銅等によって形成されている。この板バネ５５は、レンズ保持部材２１の第１の筒状部２２の周囲に配設され、内周部周辺が弾性支持部５５ａとなる。板バネ５５は、後部鏡筒４１と前鏡筒５１とが組み合わされたとき、レンズ保持部材２１の第１の筒状部２２の周囲に形成された突き当て部２５に突き当てられる。これにより、板バネ５５は、板バネ３６を構成する第１及び第２のバネ３７，３８とで、レンズ保持部材２１を挟み込んで弾性支持し、レンズ保持部材２１を光軸方向に移動可能にする。
【００４５】
支持部５３ａ、５３ｂ、５３ｃ、５３ｄの間は、カバー部材６１に取り付けられるマグネットが配設されるマグネット配設部５６ａ、５６ｂ、５６ｃ、５６ｄとなる。
【００４６】
（３−７  カバー部材の説明）
図３に示すように、カバー部材６１は、主面部６２の４辺に、側板６３ａ、６３ｂ、６３ｃ、６３ｄが形成されている。カバー部材６１は、磁性を有する金属板を折曲して形成されている。具体的に、カバー部材６１は、フェライト系ステンレスバネ綱であり、耐食性に強い性質を有するＮＫ４３ＦＳ−Ｈ２７０が用いられている。なお、カバー部材６１には、ＳＵＳ４３０等の磁性を有する金属板を用いても良い。
【００４７】
主面部６２には、レンズ保持部材２１の入射側の第１のレンズ２０ａを外部に臨ませるレンズ開口部６２ａが形成されている。
【００４８】
側板６３ａ、６３ｂ、６３ｃ、６３ｄは、後部鏡筒４１と前鏡筒５１が組み合わされた状態において、後部鏡筒４１の位置決め凹部４６ａ、４６ｂ、４６ｃ、４６ｄと係合する。また、側板６３ｃ、６３ｄは、後部鏡筒４１の係合突起４７ａ、４７ｂに係合する係合孔６４ａ、６４ｂが形成されている。かくして、カバー部材６１は、後部鏡筒４１と前鏡筒５１とを一体化する。
【００４９】
側板６３ａ、６３ｂ、６３ｃ、６３ｄの裏面には、図３に示すように、駆動コイル２６と対向して配設されるマグネット６５ａ、６５ｂ、６５ｃ、６５ｄが直接的に取り付けられる。すなわち、カバー部材６１は、磁性を有する金属板で形成されている。側板６３ａ、６３ｂ、６３ｃ、６３ｄの裏面には、マグネット６５ａ、６５ｂ、６５ｃ、６５ｄが磁気吸引することによって取り付けられる。具体的に、マグネット６５ａ、６５ｂ、６５ｃ、６５ｄは、主面部６２と側板６３ａ、６３ｂ、６３ｃ、６３ｄとがなすコーナ部に取り付けられる。したがって、マグネット６５ａ、６５ｂ、６５ｃ、６５ｄは、側板６３ａ、６３ｂ、６３ｃ、６３ｄに沿わせながら主面部６２に突き当てるようにすることで、位置決めして所定位置に取り付けることができる。
【００５０】
なお、マグネット６５ａ、６５ｂ、６５ｃ、６５ｄは、磁気吸引力のみをもってマグネット６５ａ、６５ｂ、６５ｃ、６５ｄに取り付けるようにしても良い他に、接着剤を用いて固定するようにしても良い。
【００５１】
マグネット６５ａ、６５ｂ、６５ｃ、６５ｄは、側板６３ａ、６３ｂ、６３ｃ、６３ｄに取り付けられた状態で、後部鏡筒４１及び前鏡筒５１に取り付けられると、前鏡筒５１のマグネット配設部５６ａ、５６ｂ、５６ｃ、５６ｄに配設される。そして、マグネット６５ａ、６５ｂ、６５ｃ、６５ｄは、駆動コイル２６と対向する。カバー部材６１は、磁性を有する金属板で形成されており、ヨークとしても機能する。このように、レンズ鏡筒１１では、カバー部材６１を、磁性を有する材料で形成することで、従来用いたヨークを不要とし、この点で小型化や軽量化が図られている。また、レンズ鏡筒１１では、ヨークを不要とした分、マグネット６５ａ、６５ｂ、６５ｃ、６５ｄを大きくすることができ、ボイスコイルモータの駆動力を大きくすることができる。
【００５２】
なお、このカバー部材６１は、電子機器に搭載された際に、外部に臨むレンズの周囲より内部が見えてしまうことを防止する機能も有する。
【００５３】
（４．撮像素子部の説明）
以上のように構成されるレンズ鏡筒１１が取り付けられる撮像素子部１２は、図５に示すように、プリント配線基板７１に、撮像素子７２を実装されてなる。
【００５４】
プリント配線基板７１は、例えばリジッドなガラスエポキシ基板であって、複数のランドが設けられた実装部に撮像素子７２が実装される。撮像素子７２は、周囲にセラミック等で形成されたフレーム７３が設けられている。このフレーム７３は、内側の撮像素子７２を保護する。
【００５５】
なお、プリント配線基板７１の絶縁層としては、有機材料であれば、エポキシの他に、熱硬化性樹脂フィルムであるポリイミド樹脂（ＰＩ樹脂）、ビスマレイミド―トリアジン樹脂（ＢＴ樹脂）、ポリフェニレンエーテル樹脂（ＰＰＥ樹脂）等や、熱可塑性樹脂フィルムである液晶ポリマー（ＬＣＰ）、ポリエーテルエーテルケトン樹脂（ＰＥＥＫ樹脂）、ポリエーテルイミド樹脂（ＰＥＩ樹脂）、ポリエーテルサルホン（ＰＥＳ樹脂）等であっても良い。
【００５６】
また、フレーム７３は、省略しても良い。この場合には、フレーム７３に代わる部材を、後部鏡筒４１の開口部４５の周囲に設けるようにし、この部材を、例えばプリント配線基板７１の撮像素子７２の周囲に突き当てるようにすれば良い。
【００５７】
また、このプリント配線基板７１には、カメラモジュール１０を動作させるための駆動ＩＣ等の電子部品７４が実装されている。電子部品７４等は、カメラモジュール１０を動作させると共に、駆動コイル２６に対して電源を供給する。プリント配線基板７１には、撮像素子７２の実装された位置の近傍に、電源用ランド７５が形成されている。この電源用ランド７５には、上述した駆動コイル２６とフレキシブル配線基板２７を介して電気的に接続された板バネ３６を構成する第１のバネ３７の端子片３７ｄと第２のバネ３８の端子片３８ｄが導電性接着剤等によって電気的に接続される。なお、詳細は後述する。
【００５８】
（５．カメラモジュールの組立）
カメラモジュール１０の組立について説明すると、図７に示すように、駆動コイル２６は、下側の面に、フレキシブル配線基板２７の絶縁層となっている他方の面２７ｂが接着剤等で貼り付けられる。そして、駆動コイル２６の内側から導出されたプラス側の端部２６ａは、フレキシブル配線基板２７の一方の面２７ａまで引き回され、半田や導電性接着剤等で電気的に接続される。また、駆動コイル２６の内側から導出された駆動コイル２６のマイナス側の端部２６ｂは、フレキシブル配線基板２７の一方の面２７ａまで引き回され、半田や導電性接着剤等で電気的に接続される。
【００５９】
次いで、図８に示すように、駆動コイル２６とフレキシブル配線基板２７との第１の組立体１６には、板バネ３６を構成する第１のバネ３７と第２のバネ３８とが重ね合わされ電気的に接続される。
【００６０】
なお、フレキシブル配線基板２７と第１のバネ３６や第２のバネ３７とは、更に、接着剤で固定しても良く、また、レンズ保持部材２１と駆動コイル２６とに挟み込まれるため固定しなくても良い。
【００６１】
駆動コイル２６とフレキシブル配線基板２７とでなる第１の組立体１６に板バネ３６である第１及び第２のバネ３７、３８が組み合わされた第２の組立体１７は、図９に示すように、レンズ保持部材２１に組み付けられる。具体的に、第２の組立体１７は、レンズ保持部材２１の第１の筒状部２２に挿入され、受け部２４で支持される。すると、断面略円形の第１の筒状部２２と略矩形の駆動コイル２６との間には、駆動コイル２６のプラス側の端部２６ａ及びマイナス側の端部２６ｂが延在する空隙部３０が形成される。この空隙部３０からは、接着剤が注入され、レンズ保持部材２１と第２の組立体１７とが一体化される。すなわち、駆動コイル２６とフレキシブル配線基板２７と板バネ３６とがレンズ保持部材２１と一体化される。
【００６２】
なお、ここで、空隙部３０より注入される接着剤は、駆動コイル２６とレンズ保持部材２１の第１の筒状部２２との空隙部に注入されるものであるから、必ずしも駆動コイル２６のコーナ部に注入しなくても良い。すなわち、この接着剤は、空隙があれは、駆動コイル２６のコーナ部間に注入されても良い。
【００６３】
次いで、第２の組立体１７にレンズ保持部材２１を固定した第３の組立体１８は、図９に示すように、第１のバネ３７の端子片３７ｄと第２のバネ３８の端子片３８ｄとが略９０度に折り曲げられる。具体的に、端子片３７ｄ、３８ｄは、後部鏡筒４１の側壁である支持部４３ａ、４３ｂに沿い、端部が、撮像素子７２のフレーム７３に近接するように折り曲げられる。次いで、第３の組立体１８は、後部鏡筒４１に取り付けられる。具体的に、図５及び図１４に示すように、第３の組立体１８は、後部鏡筒４１の位置決め突起４４ａ、４４ｂ、４４ｃ、４４ｄに、第１及び第２のバネ３７、３８の位置決め孔３７ｃ、３８ｃを係合されることによって、位置決めされる。
【００６４】
なお、端子片３７ｄ、３８ｄは、フレキシブル配線基板２７と電気的に接続する前に予め折り曲げておいても良い。
【００６５】
次いで、第３の組立体１８が取り付けられた後部鏡筒４１には、前鏡筒５１が取り付けられる。具体的に、板バネ５５がインサートされた前鏡筒５１は、支持部５３ａ、５３ｂ、５３ｃ、５３ｄの位置決め凹部５４ａ、５４ｂ、５４ｃ、５４ｄを、第１及び第２のバネ３７、３８の位置決め孔３７ｃ、３８ｃが係合された位置決め突起４４ａ、４４ｂ、４４ｃ、４４ｄに係合されることによって、後部鏡筒４１に取り付けられる。
【００６６】
一方、カバー部材６１には、図３に示すように、マグネット６５ａ、６５ｂ、６５ｃ、６５ｄが、側板６３ａ、６３ｂ、６３ｃ、６３ｄに、主面部６２に突き当て位置決めして取り付けられる。この後、図２乃至図５に示すように、カバー部材６１が前鏡筒５１の側から後部鏡筒４１までを覆うようにして取り付けられる。具体的に、カバー部材６１は、側板６３ａ、６３ｂ、６３ｃ、６３ｄを、後部鏡筒４１の位置決め凹部４６ａ、４６ｂ、４６ｃ、４６ｄに係合させる。そして、側板６３ｃ、６３ｄの係合孔６４ａ、６４ｄには、後部鏡筒４１の係合突起４７ａ、４７ｂが係合される。かくして、カバー部材６１は、後部鏡筒４１と前鏡筒５１とを一体化する。
【００６７】
すると、カバー部材６１の側板６３ａ、６３ｂ、６３ｃ、６３ｄに取り付けられているマグネット６５ａ、６５ｂ、６５ｃ、６５ｄは、前鏡筒５１のマグネット配設部５６ａ、５６ｂ、５６ｃ、５６ｄに配設される。これにより、マグネット６５ａ、６５ｂ、６５ｃ、６５ｄは、駆動コイル２６と対向する。ここで、マグネット６５ａ、６５ｂ、６５ｃ、６５ｄが直付けされたカバー部材６１は、磁性を有しており、ヨークとして機能することになる。
【００６８】
以上のように構成されたレンズ鏡筒１１において、図１０に示すように、第１及び第２のバネ３７、３８が、レンズ保持部材２１の受け部２４とフレキシブル配線基板２７を介して駆動コイル２６に挟み込まれている。したがって、レンズ保持部材２１は、板バネ３６の第１及び第２のバネ３７、３８と一体的になっている。そして、板バネ３６の第１及び第２のバネ３７、３８が後部鏡筒４１と前鏡筒５１とに挟み込まれている。また、レンズ保持部材２１は、第１の筒状部２２の周囲に形成された突き当て部２５に、前鏡筒５１の板バネ５５が突き当てられることになる。すなわち、レンズ保持部材２１は、板バネ３６、５５に挟み込まれ、板バネ３６、５５によって、後部鏡筒４１と前鏡筒５１とに、弾性的に支持されることになる。
【００６９】
そして、レンズ鏡筒１１では、可動側となるレンズ保持部材２１に取り付けられた駆動コイル２６と、固定側となるカバー部材６１に取り付けられたマグネット６５ａ、６５ｂ、６５ｃ、６５ｄとによって、フォーカス駆動部となるボイスコイルモータを構成する。
【００７０】
以上のように構成されたレンズ鏡筒１１は、図５及び図１０に示すように、撮像素子７２が実装されたプリント配線基板７１に搭載される。具体的に、駆動コイル２６とフレキシブル配線基板２７を介して電気的に接続された板バネ３６を構成する第１のバネ３７の端子片３７ｄと第２のバネ３８の端子片３８ｄが導電性接着剤等によって電源用ランド７５に電気的に接続される。かくして、フォーカス駆動部となるボイスコイルモータの駆動コイル２６には、プリント配線基板７１の電源回路から所定の電流が供給されることになる。
【００７１】
ここで、図１１を参照して、第１のバネ３７の端子片３７ｄと第２のバネ３８の端子片３８ｄが電気的に接続されるプリント配線基板７１の電源用ランド７５について説明する。電源用ランド７５は、銅等の導電層が周囲の絶縁層より露出する主接続部７５ａと副接続部７５ｂとを備えている。主接続部７５ａは、主として、端子片３７ｄ、３８ｄと電気的に接続されるもので、副接続部７５ｂは、端子片３７ｄ、３８ｄの主接続部７５ａとの接続をサポートする役目を有する。主接続部７５ａは、プリント配線基板７１において、副接続部７５ｂより内側に設けられ、外側から外力が加わっても接続部分が破損しにくくしている。また、副接続部７５ｂは、主接続部７５ａの外側に複数、ここでは２個設けるようにし、電気的接続部分に亀裂等が入ったときにも、主接続部７５ａ、副接続部７５ｂの何れかで端子片３７ｄ、３８ｄとの電気的接続を維持できるようにしている。また、電源用ランド７５は、主接続部７５ａを副接続部７５ｂのそれぞれより大きく形成し、また、副接続部７５ｂを複数設けることによって、電気抵抗を小さくし、端子片３７ｄ、３８ｄに電源を効率的に供給できるようにしている。
【００７２】
なお、副接続部７５ｂの数は、２つに限定されるものではなく、１つでも、３つ以上であっても良い。また、主接続部７５ａと副接続部７５ｂとは同じ大きさであっても良い。また、主接続部７５ａも複数であっても良い。
【００７３】
上述したように、電源用ランド７５に端子片３７ｄ、３８ｄを固定する導電性接着剤７６は、セラミックやプリント配線基板の表面のエポキシ樹脂等の有機樹脂材料との間では、接合強度が高いが、銅箔等の導電層との間では接合強度が低いという特徴がある。電源用ランド７５は、主接続部７５ａと副接続部７５ｂとの間をレジスト部となる絶縁部７５ｃとすることによって、電源用ランド７５と端子片３７ｄ、３８ｄとの接続強度を高めるようにしている。特に、電源用ランド７５では、主接続部７５ａと副接続部７５ｂとの間の中央部を絶縁部７５ｃとすることによって、より接続強度を高めるようにしている。勿論、絶縁部７５ｃは、電源用ランド７５の中央部になくても良い。
【００７４】
また、撮像素子７２のフレーム７３と電源用ランド７５との位置関係を説明すると、主接続部７５ａには、フレーム７３が、このフレーム７３の一部、例えばコーナ部が被さるように設けられている。一方で、図１１に示すように、端子片３７ｄ、３８ｄは、後部鏡筒４１の支持部４３ａ、４３ｂに沿い、端部が、撮像素子７２のフレーム７３に近接するように折り曲げられている。したがって、端子片３７ｄ、３８ｄは、主接続部７５ａと副接続部７５ｂとの間の中央部の絶縁部７５ｃ上に位置する。
【００７５】
ここで、電源用ランド７５に端子片３７ｄ、３８ｄを固定する導電性接着剤７６は、Ａｇペーストが用いられる。勿論、導電性接着剤７６は、Ａｕ、Ｎｉ、Ｃｕ、Ｐｄ、Ｐｔ、Ｉｒ、ＡｇＰｄ、ＡｇＰｔのうちの少なくとも１つを含む金属製フィラーが、エポキシ、フェノール、アクリル、ポリエステル、ポリイミドのうちの少なくとも１つを含む樹脂に混入されたペースト状のものであっても良い。
【００７６】
そして、図１２に示すように、電源用ランド７５上には、導電性接着剤７６が塗布されることになる。上述したように、電源用ランド７５には、主接続部７５ａと副接続部７５ｂとが設けられ、間に絶縁部７５ｃが設けられている。したがって、電源用ランド７５と端子片３７ｄ、３８ｄとは、従来より接着強度を高めて電気的に接続されることになる。また、主接続部７５ａの一部を覆うように、フレーム７３が設けられている。したがって、導電性接着剤７６は、主接続部７５ａの一部を覆うセラミック等で形成されたフレーム７３とも接着されることになる。これにより、電源用ランド７５と端子片３７ｄ、３８ｄとの接着強度は、一層高められることになる。特に、セラミックは、表面積が大きいことから、導電性接着剤７６との接着強度が高い。したがって、セラミックのフレーム７３を用いたときには、電源用ランド７５と端子片３７ｄ、３８ｄとの接着構造全体の強度をより高めることができる。
【００７７】
以上のように組み立てられたカメラモジュール１０は、携帯電話１の筐体内の所定位置に、組立装置によって、端子片３７ｄ、３８ｄが配設された側から押されて組み込まれる。このような場合にあっても、電源用ランド７５は、主接続部７５ａと副接続部７５ｂとを有し、間に絶縁部７５ｃを設け、導電性接着剤７６で接着するようにし、接続強度を高めている。したがって、このような外力が加わったときにも、電源用ランド７５と端子片３７ｄ、３８ｄとの接続箇所に亀裂等が発生することを防止することができる。また、仮に亀裂が生じたとしても、端子片３７ｄ、３８ｄと主接続部７５ａ、副接続部７５ｂの何れかとの電気的接続を維持することができる。
【００７８】
かくして、カメラモジュール１０は、レンズ鏡筒１１がプリント配線基板７１に取り付けられることによって完成する。このカメラモジュール１０は、この後、携帯電話等の小型の電子機器に搭載されることになる。
【００７９】
なお、電源用ランド７５のパターンは、図１１に示す例に限定されるものではない。
【００８０】
図１３（Ａ）に示す電源用ランド８１では、略六角形をなすように、６つの円形の接続部を設け、一方の３つを主接続部８１ａとし、他方の３つを副接続部８１ｂとし、中央部を絶縁部８１ｃとしている。
【００８１】
図１３（Ｂ）に示す電源用ランド８２では、４、２、４の列をなすように円形の接続部を設け、４つの一列を主接続部８２ａとし、２つと他の４つの列を副接続部８２ｂとし、これらで囲まれた部分を絶縁部８２ｃとしている。
【００８２】
図１３（Ｃ）に示す電源用ランド８３では、矩形の接続部を平行に並べ、一方を主接続部８３ａとし、他方を副接続部８３ｂとし、間を絶縁部８３ｃとしている。
【００８３】
図１３（Ｄ）に示す電源用ランド８４では、４つの六角形の接続部を四角形をなすように並べ、一方の２つを主接続部８４ａとし、他方を副接続部８４ｂとし、間を絶縁部８４ｃとしている。
【００８４】
図１３（Ｅ）に示す電源用ランド８５では、平行に３つの四角の接続部を設け、一方の列を主接続部８５ａとし、他方の列を副接続部８５ｂとし、間を絶縁部８５ｃとしている。
【００８５】
図１３（Ｆ）に示す電源用ランド８６では、矩形の４つの接続部を放射状に設け、一方の２つを主接続部８６ａとし、他方を副接続部８６ｂとし、間を絶縁部８６ｃとしている。
【００８６】
図１３（Ｇ）に示す電源用ランド８７では、円弧状の４つの接続部を円をなすように設け、一方の２つを主接続部８７ａとし、他方を副接続部８７ｂとし、囲まれた領域を絶縁部８７ｃとしている。
【００８７】
図１３（Ｈ）に示す電源用ランド８８では、中央部に略円形の絶縁部８８ｃを設け、周囲に３つの接続部を設け、一を主接続部８８ａとし、他を副接続部８８ｂとしている。
【００８８】
図１３（Ｉ）に示す電源用ランド８９では、４つの三角形の接続部の集合体を２つ設け、一方を主接続部８９ａとし、他方を副接続部８９ｂとし、間を絶縁部８９ｃとしている。
【００８９】
以上、図１３（Ａ）−図１３（Ｉ）に亘って、電源用ランドのパターンを種々説明したが、各例において、何れの接続部を主接続部としたり副接続部としても良い。また、図１３（Ａ）−図１３（Ｉ）に主接続部８１ａ−８９ａと副接続部８１ｂ−８９ｂは、同じ大きさや形状をしているが、主接続部８１ａ−８９ａを副接続部８１ｂ−８９ｂより大きくしても良い。まや、その逆でも良い。また、主接続部８１ａ−８９ａと副接続部８１ｂ−８９ｂは、形状を異にしていても良い。
【００９０】
また、ここでは、レンズ鏡筒１１の端子片３７ｄ、３８ｄをプリント配線基板７１の電源用ランド７５に導電性接着剤７６で接続する場合を説明したが、この接続構造は、一般的電子部品とランドとの接続構造に適用しても良い。例えば、積層セラミックコンデンサ等の電子部品の端子部をプリント配線基板のランドに接続する際に適用することができる。また、ここで用いるプリント配線基板としては、ガラスエポキシ基板といった有機基板だけでなく、アルミナ基板等のセラミック（無機）基板であっても良い。セラミックは、表面積が広く、したがって、導電性接着剤との接続強が高くなる。
【００９１】
（６．カメラモジュールの動作）
以上のように組み立てられたカメラモジュール１０では、フォーカス駆動部となるボイスコイルモータが組み込まれており、これにより、フォーカス機能を実現している。すなわち、このフォーカス駆動部では、駆動コイル２６に一方向に駆動電流が供給されると、駆動電流とマグネット６５ａ、６５ｂ、６５ｃ、６５ｄの磁界との作用によって、レンズ保持部材２１を入射側に光軸に沿って移動させる。また、駆動コイル２６に他方向に駆動電流が供給されると、駆動電流とマグネット６５ａ、６５ｂ、６５ｃ、６５ｄの磁界との作用によって、レンズ保持部材２１を出射側に光軸に沿って移動させる。かくして、カメラモジュール１０では、オートフォーカス機能を実現している。
【００９２】
（７．カメラモジュールの効果）
以上のように構成されたカメラモジュール１０において、ボイスコイルモータを構成する駆動コイル２６がレンズ保持部材２１の小径の第１の筒状部２２に配設される。したがって、撮像素子７２が高画素化し、第４のレンズ２０ｄのように、レンズ枚数が増え大型化しレンズ保持部材２１が大型化した場合であっても、レンズ鏡筒１１が駆動コイル２６の分、全体が大型化してしまうことを防止することができる。
【００９３】
また、図７に示すように、駆動コイル２６は、プラス側の端部２６ａ及びマイナス側の端部２６ｂをコイルの内側より引き出し、フレキシブル配線基板２７と電気的に接続するようにしたので、コイルそのものの小型化を実現することができる。また、レンズ鏡筒１１では、従来のレンズ鏡筒と比較して、駆動コイル２６と板バネ３６との電気的接続に、樹脂製のコイルホルダを用いるのではなく、樹脂製のコイルホルダより薄いフレキシブル配線基板２７を用いるので、全体としての低背化を図ることができる。
【００９４】
すなわち、撮像素子７２の高画素化を実現する場合には、自ずとレンズ保持部材２１が大型化することになるが、その中で、レンズ鏡筒１１は、全体の小型化に寄与することができる。
【００９５】
また、図１１及び図１２に示すように、電源用ランド７５は、主接続部７５ａと副接続部７５ｂとを有し、間に絶縁部７５ｃを設け、導電性接着剤７６で接着するようにし、接続強度を高めている。したがって、このような外力が加わったときにも、電源用ランド７５と端子片３７ｄ、３８ｄとの接続箇所に亀裂等が発生することを防止することができる。また、仮に亀裂が生じたとしても、端子片３７ｄ、３８ｄと主接続部７５ａ、副接続部７５ｂの何れかとの電気的接続を維持することができる。
【００９６】
（８．変形例）
以上の例では、携帯電話１にカメラモジュール１０を取り付けた場合を説明したが、本発明のカメラモジュール１０は、種々の小型で携帯に適した電子機器に搭載することができる。また、以上説明したレンズ鏡筒１１では、レンズ保持部材２１の第１の筒状部２２が略円筒で、駆動コイル２６が略矩形の場合を説明したが、本発明は、これに限定されるものではない。すなわち、第１の筒状部の外形も断面略円形に限定されるものではなく多角形であっても良い。また、駆動コイル２６にあっても、略矩形に限定されるものではなく、多角形であっても良い。
【符号の説明】
【００９７】
１  携帯電話、１０  カメラモジュール、１１  レンズ鏡筒、１２  撮像素子部、１６  第１の組立体、１７  第２の組立体、１８  第３の組立体、２０ａ−２０ｄ  第１乃至第４のレンズ、２１  レンズ保持部材、２１ａ  ベース、２２  第１の筒状部、２２ａ  レンズ開口部、２３  第２の筒状部、２４  受け部、２５  突き当て部、２６  駆動コイル、２６ａ  プラス側の端部、２６ｂ  マイナス側の端部、２７  フレキシブル配線基板、２７ａ  一方の面、２７ｂ  他方の面、３０  空隙部、３６  板バネ、３７  第１のバネ、３８  第２のバネ、３７ａ、３８ａ  弾性支持部、３７ｂ、３８ｂ  位置決め片、３７ｃ、３８ｃ  位置決め孔、３７ｄ、３８ｄ  端子片、４１  後部鏡筒、４２  底面部、４２ａ−４２ｄ  側壁、４３ａ−４３ｄ  支持部、４４ａ−４４ｄ  突起、４５  開口部、４６ａ−４６ｄ  位置決め凹部、４７ａ、４７ｂ  係合突起、４８ａ−４８ｄ  支持突起、５１  前鏡筒、５２  枠体、５３ａ−５３ｄ  支持部、５４ａ−５４ｄ  位置決め凹部、５５  板バネ、５６ａ−５６ｄ  マグネット配設部、６１  カバー部材、６２  主面部、６２ａ  レンズ開口部、６３ａ−６３ｄ  側板、６４ａ、６４ｂ  係合孔、６５ａ−６５ｄ  マグネット、６６  傾斜面、６７  位置規制部、７１  プリント配線基板、７２  撮像素子、７３  フレーム、７４  電子部品、７５  電源用ランド、７５ａ  主接続部、７５ｂ  副接続部、７５ｃ  絶縁部、７６  導電性接着剤
【図１】
2011039461.tif 000003
【図２】
2011039461.tif 000004
【図３】
2011039461.tif 000005
【図４】
2011039461.tif 000006
【図５】
2011039461.tif 000007
【図６】
2011039461.tif 000008
【図７】
2011039461.tif 000009
【図８】
2011039461.tif 000010
【図９】
2011039461.tif 000011
【図１０】
2011039461.tif 000012
【図１１】
2011039461.tif 000013
【図１２】
2011039461.tif 000014
【図１３】
2011039461.tif 000015